(57)【要約】【課題】リフレッシュ処理を従来よりも効率よく行う電子機器を提供する。【解決手段】電子機器に予め定められた主機能を動作させる主動作部と、前記電子機器に予め定められた副機能を動作させる副動作部と、２つの充電池と、前記主動作部および副動作部にそれぞれ前記２つの充電池を切り替え可能に接続する切替部と、前記主動作部、副動作部および前記切替部を制御する制御部とを備え、前記制御部は、前記主動作部の動作に連動して前記副動作部の動作を実行させ、前記主動作部の動作が終了した後も前記副動作部の動作を続行させ、前記副動作部に接続された前記充電池の容量が無くなったとき、前記切替部に前記２つの充電池を入れ替えて前記主動作部および副動作部に接続させることを特徴とする電子機器。【選択図】図４
2019188010.tif 000002
【特許請求の範囲】
【請求項１】
電子機器に予め定められた主機能を動作させる主動作部と、
前記電子機器に予め定められた副機能を動作させる副動作部と、
２つの充電池と、
前記主動作部および副動作部にそれぞれ前記２つの充電池を切り替え可能に接続する切替部と、
前記主動作部、副動作部および前記切替部を制御する制御部とを備え、
前記制御部は、前記主動作部の動作に連動して前記副動作部の動作を実行させ、前記主動作部の動作が終了した後も前記副動作部の動作を続行させ、前記副動作部に接続された前記充電池の容量が無くなったとき、前記切替部に前記２つの充電池を入れ替えて前記主動作部および副動作部に接続させることを特徴とする電子機器。
【請求項２】
前記２つの充電池の電流値をそれぞれ検出する電流検出部をさらに備え、
前記制御部は、前記２つの充電池のうち少なくとも１つの前記充電池の電流値の時間積分が予め定められた基準値以上の場合に前記主動作部の動作に連動して前記副動作部の動作を実行させる請求項１に記載の電子機器。
【請求項３】
前記２つの充電池の残容量をそれぞれ検出する容量検出部をさらに備え、
前記制御部は、前記２つの充電池のうち少なくとも１つの前記充電池の残容量が予め定められた基準容量値以上で前記充電池の使用が停止した場合に前記主動作部の動作に連動して前記副動作部の動作を実行させる請求項１または２に記載の電子機器。
【請求項４】
前記２つの充電池の使用時間をそれぞれ検出する使用時間計測部をさらに備え、
前記制御部は、前記２つの充電池のうち少なくとも１つの前記充電池の使用時間が予め定められた基準時間以下である場合に前記主動作部の動作に連動して前記副動作部の動作を実行させる請求項１〜３のいずれか１つに記載の電子機器。
【請求項５】
前記主機能は、掃除機能であり、
前記副機能は、空気清浄機能である請求項１〜４のいずれか１つに記載の電子機器。
【発明の詳細な説明】
【技術分野】
【０００１】
本発明は、電子機器に関し、より詳細には、充電池を備えた充電式の電子機器に関する。
【背景技術】
【０００２】
近年、充電式の電子機器（以下、電気機器とも呼ぶ）において、稼働時間を長くするため、複数の充電池（二次電池）を切り替え可能に備えたものが知られている。
【０００３】
このような複数の充電池を備えた電気機器の発明として、制御手段はオンオフスイッチの動作に従い負荷に接続する電池を複数の電池のうちのいずれか他の一つに切り換えるため、構成を複雑にすることなく異なる電池を負荷に接続することにより、効率良く複数の電池を放電できる電気機器の発明が開示されている（例えば、特許文献１参照）。
【０００４】
また、複数の充電池を備えた自走式電子機器において、各充電池から取得した情報と、検出された各充電池の出力電圧とに基づいて、使用すべき１つの充電池を選択することにより、動作できない充電池が選択されることを防止し、長期的かつ安全に電子機器の機能が実行されるように、充電池の切替制御を行う自走式電子機器の発明も開示されている（例えば、特許文献２参照）。
【先行技術文献】
【特許文献】
【０００５】
【特許文献１】特開２００４−２８９９７３号公報
【特許文献２】特開２０１６−２２０８２４号公報
【発明の概要】
【発明が解決しようとする課題】
【０００６】
ところで、このような充電式の電子機器には、ニッケル・カドミウム蓄電池やニッケル・水素蓄電池等の充電池も用いられるが、これらの二次電池を用いた電子機器で少量の充電量で充放電の繰り返しが何度も行われると、本来の容量よりも少ない充電量が充電の上限として記憶されてしまうメモリ効果が生じることがある。
その結果、電池電圧が降下して充電池の機能が低下し、電子機器の寿命が短くなってしまうことがあった。
【０００７】
このようなメモリ効果による充電池の機能低下を防止するには、充電池を一度使い切るリフレッシュ処理を実行することが推奨されている。
しかしながら、一般に、電子機器において、一度の動作で充電池を使い切ることは少なく、ほとんどの場合、ユーザーは、必要な機能を使い終わった後で電子機器を充電するため、リフレッシュ処理の実行が実質的に困難であるという実情があった。
【０００８】
本発明は、このような課題に鑑みなされたものであり、リフレッシュ処理を従来よりも効率よく行う電子機器を提供することを目的とする。
【課題を解決するための手段】
【０００９】
（１）本発明によれば、電子機器に予め定められた主機能を動作させる主動作部と、前記電子機器に予め定められた副機能を動作させる副動作部と、２つの充電池と、前記主動作部および副動作部にそれぞれ前記２つの充電池を切り替え可能に接続する切替部と、前記主動作部、副動作部および前記切替部を制御する制御部とを備え、前記制御部は、前記主動作部の動作に連動して前記副動作部の動作を実行させ、前記主動作部の動作が終了した後も前記副動作部の動作を続行させ、前記副動作部に接続された前記充電池の容量が無くなったとき、前記切替部に前記２つの充電池を入れ替えて前記主動作部および副動作部に接続させることを特徴とする電子機器が提供される。
【００１０】
本発明において、「主機能」は、例えば、電気掃除機の掃除機能やプリンタの画像形成機能、テレビやＤＶＤレコーダー等の画像表示装置の画像表示機能や、パーソナルコンピュータや電子黒板等の情報処理装置、電動工具の回転機能またはオーディオ機器の音声再生機能などである。
また、電子機器が備える主機能は、１種類に限られず、２種類以上の主機能を有するものであってもよい。
【００１１】
「副機能」は、上記主機能以外の機能、例えば、空気清浄機能やイオン発生機能、照明機能または冷却機能などである。
また、電子機器が備える副機能は、１種類に限られず、２種類以上の副機能を有するものであってもよい。
【００１２】
「充電池」は２つのみに限られず、３つ以上の充電池を電子機器が備えるものであってもよい。
この場合、切替部は、予め定められたローテーション順に従って３つ以上の充電池を切り替えて主動作部および副動作に接続する。
【００１３】
「前記主動作部の動作に連動して前記副動作部の動作を実行させ」は、主動作部と同時に副動作部を実行させる場合に限らず、主動作部の動作と副動作部の動作との間にある程度の時間差があってもよい。
また、例えば、主動作部の動作の終了後に副動作部を動作させるようにしてもよい。
【００１４】
「前記副動作部に接続された前記充電池の容量が無くなったとき」は、充電池の容量が無くなった時点に限らず、例えば、充電池の充電が完了した時点や、次に電子機器のスイッチを入れた時点などであってもよい。
【発明の効果】
【００１５】
本発明によれば、リフレッシュ処理を従来よりも効率よく行う電子機器を実現できる。
【００１６】
また、本発明の電子機器は、次のように構成されてもよく、それらが適宜組み合わされてもよい。
【００１７】
（２）前記２つの充電池の電流値をそれぞれ検出する電流検出部をさらに備え、前記制御部は、前記２つの充電池のうち少なくとも１つの前記充電池の電流値の時間積分が予め定められた基準値以上の場合に前記主動作部の動作に連動して前記副動作部の動作を実行させるものであってもよい。
【００１８】
このようにすれば、充電池の電流値に基づき、メモリ効果が生じやすいと制御部が判断したタイミングでフレッシュ動作が実行されるため、リフレッシュ処理を従来よりも効率よく行う電子機器が実現できる。
【００１９】
（３）前記２つの充電池の残容量をそれぞれ検出する容量検出部をさらに備え、前記制御部は、前記２つの充電池のうち少なくとも１つの前記充電池の残容量が予め定められた基準容量値以上で前記充電池の使用が停止した場合に前記主動作部の動作に連動して前記副動作部の動作を実行させるものであってもよい。
【００２０】
このようにすれば、充電池の残容量に基づき、メモリ効果が生じやすいと制御部が判断したタイミングでリフレッシュ処理が実行されるため、リフレッシュ処理を従来よりも効率よく行う電子機器が実現できる。
【００２１】
（４）前記２つの充電池の使用時間をそれぞれ検出する使用時間計測部をさらに備え、前記制御部は、前記２つの充電池のうち少なくとも１つの前記充電池の使用時間が予め定められた基準時間以下である場合に前記主動作部の動作に連動して前記副動作部の動作を実行させるものであってもよい。
【００２２】
このようにすれば、充電池の使用時間に基づき、メモリ効果が生じやすいと制御部が判断したタイミングでリフレッシュ処理が実行されるため、リフレッシュ処理を従来よりも効率よく行う電子機器が実現できる。
【００２３】
（５）前記主機能は、掃除機能であり、前記副機能は、空気清浄機能であってもよい。
【００２４】
このようにすれば、２つの充電池を掃除機能および空気清浄機能にそれぞれ使用し、空気清浄機能に接続された充電池に対し、リフレッシュ処理を実行することにより、リフレッシュ処理を従来よりも効率よく行う電子機器が実現できる。
【図面の簡単な説明】
【００２５】
【図１】本発明の実施形態１の電気掃除機の左側面図である。
【図２】図１の電気掃除機の電気的な構成を示す説明図である。
【図３】図２の電気掃除機のＦＥＴの制御の一例を示す説明図である。
【図４】図１の電気掃除機のリフレッシュ処理の一例を示すフローチャートである。
【図５】図１の電気掃除機の電池の機能の接続の一例を示す説明図である。
【図６】従来の電気掃除機のバッテリーのリフレッシュ処理の一例を示す説明図である。
【図７】本発明の電気掃除機のバッテリーのリフレッシュ処理の一例を示す説明図である。
【図８】本発明の実施形態２に係る電気掃除機のリフレッシュ処理の一例を示すフローチャートである。
【図９】本発明の実施形態２に係る電気掃除機のリフレッシュ処理の一例を示すフローチャートである。
【図１０】本発明の実施形態２に係る電気掃除機のリフレッシュ処理の実行判定条件の一例を示す表である。
【図１１】本発明の実施形態４に係る電気掃除機のリフレッシュ処理の一例を示すフローチャートである。
【発明を実施するための形態】
【００２６】
以下、図面を参照しながら本発明の電子機器の一例としての電気掃除機１の実施形態を詳説する。なお、以下の実施例の記載によって、本発明が限定されるものではない。
【００２７】
なお、以下の実施形態では、スティックタイプの電気掃除機１を例に説明するが、本発明はスティックタイプの電気掃除機１に限られず、例えば、キャニスタータイプの電気掃除機であってもよい。
【００２８】
（実施形態１）
図１〜図３に基づき、本発明の実施形態１に係る電気掃除機１の概略構成について説明する。
【００２９】
図１は、本発明の実施形態１の電気掃除機１の左側面図である。また、図２は、図１の電気掃除機１の電気的な構成を示す説明図である。また、図３は、図２の電気掃除機１のＦＥＴ１４ａ，１４ｂ，１５ａ，１５ｂの制御の一例を示す説明図である。
なお、図１において、図１の下側および上側をそれぞれ前方および後方、図１の左側および右側をそれぞれ上方および下方とする。
【００３０】
図１に示すように、実施形態１の電気掃除機１は、掃除機本体１０と、延長管２０と、吸込口体４０とを備える。
また、掃除機本体１０は、駆動装置１１と、駆動装置１１に着脱可能に装着されるサイクロン方式の集塵ユニット１２およびバッテリー１３と、集塵ユニット１２を駆動装置１１へ着脱可能とするロック機構部１１ｇとを備える。
【００３１】
駆動装置１１は、電動送風機１６および空気清浄機１７を内蔵する本体部１１ａと、本体部１１ａに連設されたバッテリー装着部１１ｂと、本体部１１ａとバッテリー装着部１１ｂとに連設された両端部を有するハンドル１１ｃと、ハンドル１１ｃの湾曲部に設けられた操作部１１ｅと、本体部１１ａとハンドル１１ｃとの接合部に連設されてハンドル１１ｃとは反対側へ突出する吸込筒部１１ｄとを有する。
【００３２】
バッテリー装着部１１ｂは、下方および後方に開口しかつ奥部にバッテリー１３の端子部と電気的に接続可能な端子部が設けられた凹部を有し、その凹部内に後方からバッテリー１３を挿入して装着し、バッテリー１３を後方へ引き出して凹部から取り外せるように構成されている。
【００３３】
図２に示すように、電気掃除機１は、電池１３ａおよび１３ｂを備えたバッテリー１３、ＦＥＴ１４ａ，１４ｂ，１５ａ，１５ｂ、電動送風機１６、空気清浄機１７、メモリ１８、制御部１００および電流経路ＣＰＡ１，ＣＰＡ２，ＣＰＢ１，ＣＰＢ２を備える。
【００３４】
本発明の「主動作部」は、電動送風機１６によって実現される。また、本発明の「副動作部」は、空気清浄機１７によって実現される。また、本発明の「２つの充電池」は、電池１３ａおよび１３ｂによって実現される。また、本発明の「切替部」は、ＦＥＴ１４ａ，１４ｂ，１５ａ，１５ｂおよび制御部１００の協働によって実現される。また、本発明の「電子機器」は、電気掃除機１によって実現される。
【００３５】
制御部１００は、電気掃除機１の各構成要素の動作を制御する部分であり、主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各ハードウェアを有機的に動作させて、後述するような本発明のリフレッシュ機能などを実行する。
【００３６】
メモリ１８は、電気掃除機１の各種機能を実現するために必要な情報や、プログラムを記憶する部分であり、ＲＡＭやＲＯＭ等の半導体素子、ハードディスク、フラッシュメモリ等の記憶媒体が用いられる。
メモリ１８には、例えば、電気掃除機１の使用状況や、電池１３ａおよび１３ｂの電動送風機１６および空気清浄機１７への接続状況等が記憶される。
【００３７】
バッテリー１３は、２つの電池１３ａおよび１３ｂから構成される。
電池１３ａは、電流経路ＣＰＡ１およびＣＰＡ２を経て、それぞれ電動送風機１６または空気清浄機１７に接続される。
また、電池１３ｂは、電流経路ＣＰＢ１およびＣＰＢ２を経て、それぞれ電動送風機１６または空気清浄機１７に接続される。
【００３８】
制御部１００は、ＦＥＴ１４ａおよび１４ｂを制御して、電池１３ａからの電流が、電動送風機１６または空気清浄機１７のいずれか一方に流れるようにする。
また、制御部１００は、ＦＥＴ１５ａおよび１５ｂを制御して、電池１３ｂからの電流が、電動送風機１６または空気清浄機１７のいずれか一方に流れるようにする。
【００３９】
制御部１００は、図３に示すように、ＦＥＴ１４ａ，１４ｂ，１５ａ，１５ｂにＯＮまたはＯＦＦの制御信号を送ることによって、電池１３ａおよび１３ｂの電動送風機１６または空気清浄機１７への接続の切り替えを行う。
【００４０】
図３において、電池１３ａおよび１３ｂをそれぞれ電動送風機１６および空気清浄機１７に接続する場合、制御部１００は、ＦＥＴ１４ａおよび１５ｂをＯＮにし、ＦＥＴ１４ｂおよび１５ａをＯＦＦにする。
【００４１】
一方、電池１３ａおよび１３ｂをそれぞれ空気清浄機１７および電動送風機１６に接続する場合、制御部１００は、ＦＥＴ１４ａおよび１５ｂをＯＦＦにし、ＦＥＴ１４ｂおよび１５ａをＯＮにする。
【００４２】
次に、図４および図５に基づき、本発明の実施形態１に係る電気掃除機１のリフレッシュ処理について説明する。
図４は、図１の電気掃除機１のリフレッシュ処理の一例を示すフローチャートである。また、図５は、図１の電気掃除機１の電池１３ａおよび１３ｂの機能の接続の一例を示す説明図である。
【００４３】
以下、電気掃除機１のリフレッシュ機能が有効であるものとして説明する。
なお、リフレッシュ機能は、自動または手動で切り替え可能にしてもよい。
【００４４】
電気掃除機１の電源がＯＮになったとき、図４のステップＳ１において、電気掃除機１の制御部１００は、メモリ１８に記憶された２系統の電池１３ａおよび１３ｂの電動送風機１６および空気清浄機１７への接続状況等の記録を読み出す（ステップＳ１）。
【００４５】
次に、ステップＳ２において、制御部１００は、前回の掃除終了後に電池１３ａおよび１３ｂが充電されているか否かを判定する（ステップＳ２）。
【００４６】
電池１３ａおよび１３ｂが充電されている場合（ステップＳ２の判定がＹｅｓの場合）、制御部１００は、ステップＳ３において、２系統の電池１３ａおよび１３ｂに前回と異なる機能を割り当てる（ステップＳ３）。
【００４７】
一方、電池１３ａおよび１３ｂが充電されてない場合（ステップＳ２の判定がＮｏの場合）、制御部１００は、ステップＳ４において、２系統の電池１３ａおよび１３ｂに前回と同じ機能を割り当てる（ステップＳ４）。
【００４８】
図５（Ａ）は、前回の掃除において、電池１３ａおよび１３ｂがそれぞれ電動送風機１６および空気清浄機１７に接続された場合の例を示す。
【００４９】
この場合、掃除終了後に電池１３ａおよび１３ｂが充電されていない場合は、電池１３ａおよび１３ｂは、それぞれ前回と同じ電動送風機１６および空気清浄機１７に接続される。
【００５０】
一方、掃除終了後に電池１３ａおよび１３ｂが充電されている場合は、電池１３ａおよび１３ｂは、それぞれ前回と異なる空気清浄機１７および電動送風機１６に接続される。
【００５１】
また、図５（Ｂ）は、前回の掃除において、電池１３ａおよび１３ｂがそれぞれ空気清浄機１７および電動送風機１６に接続された場合の例を示す。
【００５２】
この場合、掃除終了後に電池１３ａおよび１３ｂが充電されていない場合は、電池１３ａおよび１３ｂは、それぞれ前回と同じ空気清浄機１７および電動送風機１６に接続される。
【００５３】
一方、掃除終了後に電池１３ａおよび１３ｂが充電されている場合は、電池１３ａおよび１３ｂは、それぞれ前回と異なる電動送風機１６および空気清浄機１７に接続される。
【００５４】
２系統の電池１３ａおよび１３ｂにそれぞれ機能が割り当てられた後、ステップＳ５においてユーザーが掃除を開始すると（ステップＳ５）、制御部１００は、ステップＳ６において、電動送風機１６の動作に連動して空気清浄機１７をＯＮにする（ステップＳ６）。
【００５５】
ここで、「電動送風機１６の動作に連動して」とは、電動送風機１６の動作開始と同時に空気清浄機１７を実行させてもよいし、また、電動送風機１６の動作後、予め定められた時間の経過後に空気清浄機１７を動作させてもよい。
また、例えば、電動送風機１６の動作の終了後に空気清浄機１７を動作させてもよい。
【００５６】
次に、ステップＳ７において、ユーザーが掃除を終了すると（ステップＳ７）、制御部１００は、ステップＳ８において、空気清浄機１７に接続された電池の残容量（残量）があるか否かを判定する（ステップＳ８）。
【００５７】
ここで、電池の残量は、電池電圧の計測または電池電圧の分圧比の計測によって検知される。
【００５８】
空気清浄機１７に接続された電池の残量がある場合（ステップＳ８の判定がＹｅｓの場合）、制御部１００は、空気清浄機１７の電池残量が無くなるまでステップＳ８の判定を行う（ステップＳ８）。
【００５９】
一方、空気清浄機１７に接続された電池の残量がない場合（ステップＳ８の判定がＮｏの場合）、制御部１００は、ステップＳ９において、空気清浄機１７をＯＦＦにする（ステップＳ９）。
【００６０】
その後、ステップＳ１０において、制御部１００は、２系統の電池１３ａおよび１３ｂの接続状況をメモリ１８に記憶させた後（ステップＳ１０）、リフレッシュ処理を終了する。
【００６１】
次に、図６および図７に基づき、従来および本発明の電気掃除機１のバッテリー１３のリフレッシュ処理の違いについて説明する。
図６は、従来の電気掃除機１のバッテリー１３のリフレッシュ処理の一例を示す説明図である。また、図７は、本発明の電気掃除機１のバッテリー１３のリフレッシュ処理の一例を示す説明図である。
【００６２】
図６において、電池１系統のバッテリー１３が電動送風機１６および空気清浄機１７に接続された場合を想定する。
【００６３】
このような場合において、リフレッシュ処理を行う際は、電動送風機１６の使用分と空気清浄機１７の使用分を合わせた容量をすべて放電する必要がある。
【００６４】
その後、バッテリー１３を再び満充電状態にするには、図６（Ｂ）に示すように、バッテリー１３の容量全体を充電する必要があり、多くの充電時間を要していた。
【００６５】
一方、図７において、本発明の電池２系統のバッテリー１３が電池１３ａおよび１３ｂから構成され、それぞれが電動送風機１６および空気清浄機１７に接続された場合を想定する。
【００６６】
このような場合において、バッテリー１３は、空気清浄機１７に接続された電池１３ｂの容量が無くなった時点で、電池１３ｂのリフレッシュ処理が完了する。
【００６７】
その後、バッテリー１３を再び満充電状態にするには、図７（Ｂ）に示すように、電池１３ｂについては、空になった容量全体を充電する必要があるが、電池１３ａについては、電動送風機１６の使用分のみを充電すればよい。
【００６８】
それゆえ、従来の電池１系統のバッテリー１３と比べて、満充電までの充電時間が少なくて済む。
【００６９】
また、次回にリフレッシュ処理を行う場合は、電池１３ａを空気清浄機１７に接続して容量が空になるまで使用することにより、電池１３ａのリフレッシュ処理を行うことができる。
【００７０】
このようにして、従来の電池１系統のバッテリー１３の場合と比べて、リフレッシュ処理を効率よく行う電気掃除機１を実現できる。
【００７１】
また、電動送風機１６と連動して空気清浄機１７を動作させることで、掃除中に発生しやすい空気の汚れと不快な臭いを解消することもできる。
【００７２】
（実施形態２）
次に、図８〜図１０に基づき、本発明の実施形態１に係る電気掃除機１のリフレッシュ処理について説明する。
図８および図９は、本発明の実施形態２に係る電気掃除機１のリフレッシュ処理の一例を示すフローチャートである。また、図１０は、本発明の実施形態２に係る電気掃除機１のリフレッシュ処理の実行判定条件の一例を示す表である。
【００７３】
図８のステップＳ１１において、電気掃除機１の制御部１００は、最後にリフレッシュした後の電気掃除機１の使用記録を読み出す（ステップＳ１１）。
【００７４】
次に、ステップＳ１２において、制御部１００は、予め定められたリフレッシュ処理の実行判定条件が満たされているか否かを判定する（ステップＳ１２）。
【００７５】
ここで、図１０の表に示されるように、以下の条件１および２の両方が満たされた場合に、リフレッシュ処理の実行判定条件が満たされたものとする。
【００７６】
条件１：
「電流値の時間積分が基準値Ｘ（アンペア時）以下の運転である」
または「電池残量が基準容量値Ｙ（ミリアンペア時）以上での電池使用停止である」
または「基準時間Ｚ（時間）以下の電池使用である」
【００７７】
ここで、基準値Ｘ、基準容量値Ｙおよび基準時間Ｚの範囲の目安は、次のとおりである。
（１）Ｘ：満充電量に対して２０〜８０％の使用量に相当する電流値の時間積分。
（２）Ｙ：電池残量が満充電量の２０〜８０％。
（３）Ｚ：電池切れと判定されて運転停止するまでの使用時間の２０〜８０％。
【００７８】
条件２：「充電のプロセスが基準回数Ｗ（回）以上されている」
【００７９】
ここで、基準回数Ｗの範囲の目安は、次のとおりである。
Ｗ：２０〜３０回
【００８０】
図８のステップＳ１２において、所定のリフレッシュ処理の実行判定条件が満たされている場合（ステップＳ１２の判定がＹｅｓの場合）、制御部１００は、ステップＳ１３において、電気掃除機１のバッテリー１３について、メモリ効果が生じやすいか、あるいはメモリ効果が発生しているものと判定する（ステップＳ１３）。
【００８１】
その後、制御部１００は、ステップＳ１４において、２系統の電池１３ａおよび１３ｂに前回と異なる機能を割り当てる（ステップＳ１４）。
【００８２】
次に、ステップＳ１５において、ユーザーが掃除を開始すると（ステップＳ１５）、制御部１００は、ステップＳ１６において、電動送風機１６に連動して空気清浄機１７をＯＮにする（ステップＳ１６）。
【００８３】
次に、ステップＳ１７において、ユーザーが掃除を終了すると（ステップＳ１７）、制御部１００は、ステップＳ１８において、空気清浄機１７に接続された電池の残量があるか否かを判定する（ステップＳ１８）。
【００８４】
空気清浄機１７に接続された電池の残量がある場合（ステップＳ１８の判定がＹｅｓの場合）、制御部１００は、空気清浄機１７の電池残量が無くなるまでステップＳ１８の判定を行う（ステップＳ１８）。
【００８５】
一方、空気清浄機１７に接続された電池の残量がない場合（ステップＳ１８の判定がＮｏの場合）、制御部１００は、ステップＳ１９において、空気清浄機１７の機能をＯＦＦにする（ステップＳ１９）。
【００８６】
その後、ステップＳ２０において、制御部１００は、電気掃除機１の使用状況をメモリ１８に記憶させた後（ステップＳ２０）、リフレッシュ処理を終了する。
【００８７】
一方、ステップＳ１２において、予め定められたリフレッシュ処理の実行判定条件が満たされていない場合（ステップＳ１２の判定がＮｏの場合）、制御部１００は、図９のステップＳ２１において、電気掃除機１のバッテリー１３について、メモリ効果が生じにくい状況にあるものと判定する（ステップＳ２１）。
【００８８】
続いて、制御部１００は、ステップＳ２２において、予め定められた設定に基づき空気清浄機１７を動作させる（ステップＳ２２）。
【００８９】
次に、ステップＳ２３において、ユーザーが掃除を開始すると（ステップＳ２３）、制御部１００は、ステップＳ２４において、電池切れ以外の原因で掃除が終了したか否かを判定する（ステップＳ２４）。
【００９０】
ここで、電池切れ以外の原因で掃除が終了した場合とは、例えば、ユーザーが手動で掃除を終了させた場合や、塵埃の満杯検知等により自動で掃除が終了した場合、紙詰まり等のエラーの発生により掃除が終了した場合、またはタイマーによる停止などである。
【００９１】
ステップＳ２４において、電池切れ以外の原因で掃除が終了した場合（ステップＳ２４の判定がＹｅｓの場合）、制御部１００は、ステップＳ２５において、電気掃除機１の使用状況をメモリ１８に記憶させた後（ステップＳ２５）、リフレッシュ処理を終了させる。
【００９２】
一方、電池切れが原因で掃除が終了した場合（ステップＳ２４の判定がＮｏの場合）、制御部１００は、ステップＳ２６において、電池２系統の電池１３ａおよび１３ｂ両方の残量が無くなったか否かを判定する（ステップＳ２６）。
【００９３】
電池２系統の電池１３ａおよび１３ｂ両方の残量が無くなった場合（ステップＳ２６の判定がＹｅｓの場合）、制御部１００は、ステップＳ２５の処理を行う（ステップＳ２５）。
【００９４】
一方、電池２系統の電池１３ａおよび１３ｂ両方の残量が無くなっていない場合（ステップＳ２６の判定がＮｏの場合）、制御部１００は、ステップＳ２７において、現在使用中の電池のみの残量が無くなったか否かを判定する（ステップＳ２７）。
【００９５】
現在使用中の電池のみの残量が無くなった場合（ステップＳ２７の判定がＹｅｓの場合）、制御部１００は、ステップＳ２８において、もう１系統の電池に切り替えて接続する（ステップＳ２８）。
その後、ステップＳ２４の判定を繰り返す（ステップＳ２４）。
【００９６】
一方、現在使用中でない電池のみの残量が無くなった場合（ステップＳ２７の判定がＮｏの場合）、制御部１００は、ステップＳ２４の判定を繰り返す（ステップＳ２４）。
【００９７】
このように、所定のリフレッシュ処理の実行判定条件に基づき、メモリ効果が生じやすいか否かを判定した後、当該判定結果に応じた適切な処理を行うことにより、リフレッシュ処理を従来よりも効率よく行う電気掃除機１を実現できる。
【００９８】
（実施形態３）
実施形態１において、２系統の電池からなるバッテリー１３を備えた電気掃除機１を想定した。
一方、実施形態３においては、３系統以上の電池からなるバッテリー１３を備えた電気掃除機１であってもよい。
【００９９】
この場合、例えば、予め定められたローテーション順に交替してリフレッシュ処理を行う。
例えば、電池１３ａ，１３ｂ，１３ｃの３系統の電池からなるバッテリー１３を備えた電気掃除機１の場合、制御部１００は、以下のＳＴＥＰ１〜３に従ってリフレッシュ処理を行う。
【０１００】
ＳＴＥＰ１：最初に、電池１３ａが空気清浄機１７に接続され、残りの電池１３ｂおよび１３ｃが電動送風機１６に接続される。
【０１０１】
ＳＴＥＰ２：次に、電池１３ａのリフレッシュ処理が完了した場合、ＳＴＥＰ２として、電池１３ｂが空気清浄機１７に接続されて、残りの電池１３ｃおよび１３ａが電動送風機１６に接続される。
【０１０２】
ＳＴＥＰ３：次に、電池１３ｂのリフレッシュ処理が完了した場合、ＳＴＥＰ３として、電池１３ｃが空気清浄機１７に接続されて、残りの電池１３ａおよび１３ｂが電動送風機１６に接続される。
【０１０３】
そして、電池１３ｃのリフレッシュ処理が完了した場合、制御部１００は、再度ＳＴＥＰ１に戻り、ＳＴＥＰ１〜３のリフレッシュ処理を繰り返す。
【０１０４】
このように、３系統以上の電池からなるバッテリー１３を備えた電気掃除機１の場合も、２系統の電池からなるバッテリー１３を備えた電気掃除機１の場合と同様に、リフレッシュ処理を従来よりも効率よく行う電気掃除機１を実現できる。
【０１０５】
（実施形態４）
次に、図１１に基づき、本発明の実施形態４に係る電気掃除機１のリフレッシュ処理について説明する。
図１１は、本発明の実施形態４に係る電気掃除機１のリフレッシュ処理の一例を示すフローチャートである。
【０１０６】
なお、図１１のステップＳ３１〜Ｓ３５およびＳ３８〜４２はそれぞれ、図８のステップＳ１１〜Ｓ２０に対応するため、説明を省略する。
また、図１１のステップＳ３２およびＳ３７でＮｏと判定された場合の処理は、図９の処理と同様である。
【０１０７】
実施形態４の電気掃除機１は、ユーザーにメッセージを報知する報知部およびリフレッシュ機能のＯＮ・ＯＦＦを切り替えるスイッチをさらに備えるものとする。
【０１０８】
図１１のステップＳ３５において、ユーザーが掃除を開始すると（ステップＳ３５）、制御部１００は、ステップＳ３６において、リフレッシュ機能を有効にすべきか否かをユーザーに尋ねるメッセージを報知部に報知させる（ステップＳ３６）。
【０１０９】
例えば、「バッテリーの機能低下を回避するため、リフレッシュを行う必要があります。自動リフレッシュ機能をＯＮにしますか？」というメッセージなどがあげられる。
【０１１０】
具体的な報知方法としては、例えば、ハンドル１１ｃ等に設けられた表示部にメッセージを表示させる方法や、スピーカーに音声メッセージを流す方法などがあげられる。
【０１１１】
次に、ステップＳ３７において、制御部１００は、リフレッシュ機能がＯＮにされたか否かを判定する（ステップＳ３７）。
具体的には、制御部１００は、操作部１１ｅ等に設けられたリフレッシュ機能のＯＮ・ＯＦＦにしてスイッチがＯＮになったか否かを検知する。
【０１１２】
リフレッシュ機能がＯＮにされた場合（ステップＳ３７の判定がＹｅｓの場合）、制御部１００は、ステップＳ３８において、空気清浄機１７をＯＮにする（ステップＳ３８）。
【０１１３】
一方、リフレッシュ機能がＯＮにされなかった場合（ステップＳ３７の判定がＮｏの場合）、制御部１００は、図９のステップＳ２１の処理を行う（図９のステップＳ２１）。
【０１１４】
このように、バッテリー１３について、メモリ効果が生じやすいか、あるいはメモリ効果が発生しているものと判定したとき、ユーザーにリフレッシュ機能を有効にすべきか否かを尋ねるメッセージを報知することで、リフレッシュ処理を従来よりも効率よく行う電気掃除機１を実現できる。
【０１１５】
（実施形態５）
実施形態５の電気掃除機１は、充電台に接続されたときにバッテリー１３の電池を自動的に充電する充電台接続部を備える。
【０１１６】
実施形態５において、リフレッシュ処理が実行された場合、制御部１００は、電気掃除機１の充電台接続部が充電台に接続されていても、空気清浄機１７に接続された電池が空になるまで当該電池の充電を保留にするようにしてもよい。
この場合、制御部１００は、当該電池のリフレッシュが完了した後に、当該電池の充電を開始する。
【０１１７】
このように、電気掃除機１が充電台に接続されている場合であっても、リフレッシュ処理の実行中はリフレッシュが完了するまで充電を開始しないようにすることで、リフレッシュ処理を従来よりも効率よく行う電気掃除機１を実現できる。
【０１１８】
また、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１１９】
１：電気掃除機、    １０：掃除機本体、    １１：駆動装置、    １１ａ：本体部、    １１ｂ：バッテリー装着部、    １１ｃ：ハンドル、    １１ｄ：吸込筒部、    １１ｅ：操作部、    １１ｇ：ロック機構部、    １２：集塵ユニット、    １３：バッテリー、    １３ａ，１３ｂ，１３ｃ：電池、    １４ａ，１４ｂ，１５ａ，１５ｂ：ＦＥＴ、    １６：電動送風機、    １７：空気清浄機、    １８：メモリ、    ２０：延長管、    ４０：吸込口体、    １００：制御部、    ＣＰＡ１，ＣＰＡ２，ＣＰＢ１，ＣＰＢ２：電流経路、    Ｘ：基準値、    Ｙ：基準容量値、    Ｚ：基準時間、    Ｗ：基準回数
【図１】
2019188010.tif 000003
【図２】
2019188010.tif 000004
【図３】
2019188010.tif 000005
【図４】
2019188010.tif 000006
【図５】
2019188010.tif 000007
【図６】
2019188010.tif 000008
【図７】
2019188010.tif 000009
【図８】
2019188010.tif 000010
【図９】
2019188010.tif 000011
【図１０】
2019188010.tif 000012
【図１１】
2019188010.tif 000013